(57)【要約】【課題】  特定の観察者には当該観察者に提示する情報が観察され、他の観察者にはその情報を見せず、あるいは他の情報を観察させることができる表示システムを提供する。【解決手段】  観察具４を装着した観察者１１に提示する第１映像と、観察具４を装着していない観察者１２に提示する第２映像との差分の映像を第３映像として差分映像作成部１で作成する。そして表示制御部２は、第１映像と第３映像とを交互に、高速に切り替えて表示部３に表示させる。その切り替えに同期して、観察具４のシャッター制御部５は、第１映像が表示されている間だけ光シャッター６を開くように制御する。これにより観察者１１は第１映像のみを参照することにより第１映像を提示できる。また観察者１２は第１映像と第３映像の両方を参照することになり、両者を加算した第２映像が提示されることになる。【選択図】  図１
2005227424.tif 000002
【特許請求の範囲】
【請求項１】
第１の観察者に対して提示する１ないし複数の第１の映像と第２の観察者に対して提示する第２の映像との差分の映像である第３の映像を作成する差分映像作成手段と、表示手段と、前記第１の映像と前記差分映像作成手段で作成された前記第３の映像とを所定のタイミングで切り替えて前記表示手段に表示させる表示制御手段を有し、前記表示制御手段は、前記第１の映像と前記第３の映像とを前記第２の観察者が観察した時に視覚的に前記第１の映像と前記第３の映像とが区別されずに観察されるタイミングで前記第１の映像と前記第３の映像とを切り替えることを特徴とする表示システム。
【請求項２】
前記差分映像作成手段は、前記第１の映像を反転した映像を第３の映像として作成し、前記表示制御手段は、前記第１の映像と前記第３の映像とを交互に切り替えて表示出力することによって、前記第２の観察者に全体が均一な前記第２の映像を提示することを特徴とする請求項１に記載の表示システム。
【請求項３】
前記差分映像作成手段は、複数の前記第１の映像のそれぞれについて前記第２の映像との差分の映像である複数の前記第３の映像を作成し、前記表示制御手段は、それぞれの前記第１の映像と該第１の映像に対応する前記第３の映像とを交互に切り替えて表示出力することを特徴とする請求項１に記載の表示システム。
【請求項４】
前記差分映像作成手段は、複数の前記第１の映像を重ねた映像と前記第２の映像との差分の映像である前記第３の映像を作成し、前記表示制御手段は、それぞれの前記第１の映像と前記第３の映像とを順に切り替えて表示出力することを特徴とする請求項１に記載の表示システム。
【請求項５】
さらに前記第１の観察者が表示された映像を観察するために使用する観察手段を有し、前記観察手段は、光シャッターと、前記表示制御手段が映像を切り替えるタイミングで前記光シャッターの開閉を制御するシャッター制御手段を有しており、前記シャッター制御手段は、前記第１の映像を表示している期間だけ前記光シャッターを開くように制御し、前記第１の観察者に前記第１の映像を提示することを特徴とする請求項１ないし請求項４のいずれか１項に記載の表示システム。
【請求項６】
前記シャッター制御手段は、複数の前記第１の映像のうちのいずれかを選択可能であり、選択された前記第１の映像が表示されている期間だけ前記光シャッターを開くように制御することを特徴とする請求項５に記載の表示システム。
【請求項７】
前記第１の映像は、観察者の左右の眼の視差を考慮した立体視のための複数の映像であり、前記観察手段は、前記第１の観察者の左右の眼に対応する２つの光シャッターを有し、前記観察手段のシャッター制御手段は、それぞれの前記光シャッターをそれぞれの前記第１の映像に対応させて開閉制御することにより前記第１の観察者に三次元映像を提供することを特徴とする請求項５に記載の表示システム。
【発明の詳細な説明】
【技術分野】
【０００１】
本発明は、複数の異なった映像を別の観察者に提示することができる表示システムに関するものである。
【背景技術】
【０００２】
従来の観察者によって視認される内容が異なる表示システムとして、例えば特許文献１や特許文献２に記載されているように、ある観察者には表示内容が視認できるが、他の観察者には表示内容が視認できないようにした表示装置がある。これらの文献に記載されている技術は、偏光フィルタや偏光膜によって表示光を偏光し、その表示光を偏光メガネを通して観察するものである。偏光メガネを用いない観察者には表示内容が見えず、偏光メガネを通して観察した場合には表示内容を観察することができる。このような従来の技術では、表示装置に偏光フィルタを付加するなど、表示装置に対して改変が必要であるという問題がある。
【０００３】
また別の従来の技術として、立体視を目的とした表示システムがある。図６は、従来の立体視のための表示システムの一例の説明図である。図中、５１は表示画面、５２はメガネ型光シャッターである。メガネ型光シャッター５２は、通常のメガネと同様の構成であり、左右のレンズの代わりに、あるいはレンズとともに、それぞれ光シャッターが設けられている。光シャッターを開くことによって視界が開け、光シャッターを閉じると見えなくなる。
【０００４】
例えば図６（Ａ）に示すように、表示画面５１に左眼用の画像を表示させ、メガネ型光シャッター５２の左眼側の光シャッターを開き、右眼側の光シャッターを閉じる。これによって、左眼用の画像を左眼で見ることができる。その後、図６（Ｂ）に示すように、表示画面５１に右眼用の画像を表示させ、メガネ型光シャッター５２の右眼側の光シャッターを開き、左眼側の光シャッターを閉じる。これによって、右眼用の画像を右眼で見ることができる。
【０００５】
表示画面５１に表示する左眼用の画像と右眼用の画像とを交互に表示し、それに同期してメガネ型光シャッターの左右の光シャッターの開閉を行う。左眼用の画像と右眼用の画像とを視差に応じて多少角度の異なる画像として構成しておき、高速に切替を行うことによって、観察者は三次元の立体画像を観察することができる。
【０００６】
この技術の場合、メガネ型光シャッター５２を用いない観察者には、多少ぼけた、あるいは多少ちらついた二次元の画像が見えるだけである。逆に言えば、三次元画像でなくても良ければ、メガネ型光シャッターを装着していなくても表示内容を参照することが可能である。従って、メガネ型光シャッターを装着していない観察者に対して情報を見せないようにしたり、他の映像を見せることはできない。
【０００７】
【特許文献１】特開平１０−１０５２１号公報
【特許文献２】特開平６−１８６５５６号公報
【発明の開示】
【発明が解決しようとする課題】
【０００８】
本発明は、上述した事情に鑑みてなされたもので、特定の観察者には当該観察者に提示する情報が観察され、他の観察者にはその情報を見せず、あるいは他の情報を観察させることができる表示システムを提供することを目的とするものである。
【課題を解決するための手段】
【０００９】
本発明は、表示システムにおいて、第１の観察者に対して提示する１ないし複数の第１の映像と第２の観察者に対して提示する第２の映像との差分の映像である第３の映像を作成する差分映像作成手段と、表示手段と、前記第１の映像と前記差分映像作成手段で作成された前記第３の映像とを所定のタイミングで切り替えて前記表示手段に表示させる表示制御手段を有し、前記表示制御手段は、前記第１の映像と前記第３の映像とを前記第２の観察者が観察した時に視覚的に前記第１の映像と前記第３の映像とが区別されずに観察されるタイミングで前記第１の映像と前記第３の映像とを切り替えることを特徴とするものである。例えば第１の観察者が第１の映像の表示期間だけを選択的に参照することによって、第１の映像を視認することができる。また、一般の第２の観察者が表示出力を参照すると、第１の映像と第３の映像とが混合され、第２の映像を視認することができる。このようにして、第１の観察者と第２の観察者に別の映像を提供する。
【００１０】
例えば差分映像作成手段において、第２の映像を反転した映像を第３の映像として作成し、表示制御手段で第１の映像と前記第３の映像とを交互に切り替えて表示出力することによって、第２の観察者には全体が均一な第２の映像を提示することができる。例えば第２の映像を照明などに利用することも可能である。
【００１１】
また、第１の映像が複数存在していてもよく、その場合、差分映像作成手段は、複数の第１の映像のそれぞれについて前記第２の映像との差分の映像である複数の前記第３の映像を作成し、表示制御手段でそれぞれの第１の映像と該第１の映像に対応する第３の映像とを交互に切り替えて表示出力するように構成することができる。あるいは、差分映像作成手段は、複数の第１の映像を重ねた映像と第２の映像との差分の映像である第３の映像を作成し、表示制御手段では、それぞれの第１の映像と第３の映像とを順に切り替えて表示出力するように構成することができる。
【００１２】
第１の観察者が第１の映像を観察するための構成として、光シャッターと、表示制御手段が映像を切り替えるタイミングで前記光シャッターの開閉を制御するシャッター制御手段を有した観察手段を用いることができる。このような観察手段のシャッター制御手段は、第１の映像を表示している期間だけ光シャッターを開くように制御し、第１の観察者に第１の映像を提示するように構成することができる。また、第１の映像が複数存在する場合には、シャッター制御手段は、複数の第１の映像のうちのいずれかを選択し、選択された第１の映像が表示されている期間だけ光シャッターを開くように制御すればよい。
【００１３】
応用例として、第１の観察者のみに立体画像を提供する場合には、第１の映像として、観察者の左右の眼の視差を考慮した立体視のための複数の映像を用意し、第１の観察者が用いる観察手段は、左右の眼に対応する２つの光シャッターを有し、観察手段のシャッター制御手段がそれぞれの光シャッターをそれぞれの第１の映像に対応させて開閉制御することによって、第１の観察者に三次元映像を提供することができる。
【発明の効果】
【００１４】
本発明によれば、例えば観察手段を有する等により第１の映像を選択的に取得可能な第１の観察者には第１の映像を提供し、他の第２の観察者には第２の映像を提供することができるという効果がある。この時、従来のように表示装置に偏光フィルタなどを装着する必要はなく、表示の制御程度で対応することができる。
【発明を実施するための最良の形態】
【００１５】
図１は、本発明の表示システムの実施の一形態を示すブロック図である。図中、１は差分映像作成部、２は表示制御部、３は表示部、４は観察具、５はシャッター制御部、６は光シャッター、１１，１２は観察者である。この例では、観察者１１は観察具４を用いて表示部３により表示された映像を観察し、観察者１２は観察具４を用いずに映像を観察する。観察者１１に提供する映像は、第１映像として外部から与えられる。この映像は複数であっても良い。また、観察者１２に提供する第２映像は、予め決めておくほか、第１映像と同様に外部から与えても良い。
【００１６】
差分映像作成部１は、観察者１１に対して提示する第１映像と、観察者１２に対して提示する第２映像との差分の映像である第３映像を作成する。例えば第２映像が均一な映像でよい場合には、第１映像を反転して第３映像としても良い。この反転した第３映像も、広い意味では第１映像と第２映像との差分である。第１映像が複数存在する場合には、それぞれの第１映像について第２映像との差分を算出して複数の第３映像を作成しても良いし、あるいは、複数の第１映像を重ねた映像と第２映像との差分を第３映像としても良い。
【００１７】
表示制御部２は、与えられた第１映像と、差分映像作成部１で作成した第３映像とを所定のタイミングで切り替えて、表示部３に表示させるように制御する。このとき、第１映像と第３映像とを、観察具４を用いない観察者１２が観察した時に、視覚的に第１映像と第３映像とが区別されずに観察されるタイミングで、高速に第１映像と第３映像とを切り替える。これによって、観察者１２が表示部３により表示された映像を観察すると、第１映像と第３映像の両方が重なって見え、第２映像が知覚されることになる。なお、第１映像が複数存在する場合には、それぞれの第１映像と対応する第３映像とを交互に切り替えて表示させることができる。あるいは、複数の第１映像とそれらを重ねた映像から作成した第３映像とを順次切り替えて表示するようにしても良い。
【００１８】
表示部３は、表示制御部２の制御に従って映像を表示するものであり、高速に表示する映像を変更可能な表示装置であればどのようなものであっても良い。例えばＣＲＴや液晶表示装置、ＰＤＰディスプレイ、ＥＬディスプレイ、プロジェクタ、電光掲示板など、様々な表示装置を用いることができる。
【００１９】
観察具４は、第１映像を観察する観察者１１が、第１映像を観察するために使用するものである。ここで、観察は観察者１１が眼で見るほか、例えばカメラなどの画像読取装置によって読み取る場合なども含む。観察具４は、シャッター制御部５，光シャッター６等を含んで構成されている。
【００２０】
シャッター制御部５は、表示制御部２が表示部３に表示する映像を切り替えるタイミングで、光シャッター６の開閉を制御する。より具体的には、表示制御部２が第１映像を表示部３に表示している期間だけ、光シャッター６を開くように制御し、観察者１１が第１映像を観察できるようにする。これによって、観察者１１に第１映像を提示することができる。なお、第１映像が複数の場合には、そのうちのいずれか選択された映像が表示部３に表示されている期間だけ光シャッター６を開くように制御すればよい。
【００２１】
光シャッター６は、シャッター制御部５による制御に従って光学的に開閉するシャッターである。例えば液晶シャッターなどのように電気的に開閉できるシャッターにより構成することができる。特に後述するように観察具４がメガネ型の場合には、観察者１１に負担をかけることのないように、小型、軽量であることが望ましい。もちろん、機械式のシャッターなど、他の様々なシャッターにより構成することもできる。
【００２２】
次に、具体例を用いながら本発明の実施の一形態の動作について説明してゆく。図２は、本発明の実施の一形態における第１の動作例の説明図である。２１はプロジェクター、２２は表示面である。図２に示す例では、表示部３としてプロジェクター２１を用い、プロジェクター２１により表示面２２に投影された映像を観察者１１が観察する例を示している。第１映像として図２（Ａ）に示した画像とし、第２映像として図２（Ｂ）に示すように均一な画像であるものとする。
【００２３】
図２（Ｃ）では、観察者１１に提示する第１映像を表示した状態を示している。このとき、観察者１１が装着している観察具４の光シャッター６を開いて光を透過させ、観察者１１が表示を参照できるようにする。この時、観察具４が図示のようにメガネ型の場合、左右の眼に対応する光シャッターの両方とも開く。これによって、観察者１１は図２（Ａ）に示す第１映像を参照することになる。なお、この映像は観察具４を装着していない観察者１２も参照することになる。
【００２４】
続いて、表示制御部２は差分映像作成部１が作成した第３映像をプロジェクター２１により表示させる。ここでは、第２映像は図２（Ｂ）に示すように均一な画像である。この場合、差分映像作成部１は第１映像の反転画像を作成して第３映像とすることができる。これによって、図２（Ｄ）に示すように、表示された画像は図２（Ａ）に示した第１映像の反転画像が表示される。このとき、観察者１１が装着している観察具４の光シャッター６を閉じ、光を遮断する。観察具４が図示のようにメガネ型の場合、左右の眼に対応する光シャッターの両方とも閉じる。これによって、観察者１１は第３映像を参照することができなくなる。なお、この映像は観察具４を装着していない観察者１２には参照されることになる。
【００２５】
図２（Ｃ）に示した状態と図２（Ｄ）に示した状態を、高速に、交互に切り替える。この切替は、例えば第１映像と第３映像とが人間の目に感知されない５０Ｈｚ以上で行うことが望ましい。
【００２６】
図２（Ｃ）に示した状態と図２（Ｄ）に示した状態を切り替えることによって、観察者１１は図２（Ｃ）に示した第１映像のみを参照し、第２映像は参照されない。従って、観察者１１には図２（Ａ）に示す第１映像を提示することができる。また、観察具４を装着していない観察者１２は、図２（Ａ）に示した第１映像と、その反転画像である第３映像の両方を参照することになる。両者を高速に切り替えている場合、いずれの映像も個別に認識することができず、両者が加算された映像、すなわちこの場合には図２（Ｂ）に示すような均一な（例えば灰色の）画像が参照されることになる。このようにして、観察具４を装着している観察者１１にのみ、第１映像を提供することができる。観察具４を装着していない観察者１２には、第１映像は提供されず、この例では均一に明るくなっているだけに見える。この明かりによって、例えばプロジェクター２１の光を照明として利用することも可能である。すなわち、一般の観察者には照明光として見えるものが、観察具４を装着した観察者には第１映像が映し出された表示映像として観察できることになる。
【００２７】
図３は、本発明の実施の一形態における第２の動作例の説明図である。３１〜３３は観察者である。ここでは第１映像が複数の場合について説明する。一例として、第１映像Ａを観察者３１に、第１映像Ｂを観察者３２に、それぞれ提示するものとする。また、観察者３３は観察具４を装着しない観察者であり、ここでは均一な画像である第２映像が提示されるものとする。
【００２８】
このように第１映像が複数存在する場合には、それらの第１映像と、差分映像作成部１で作成した第３映像とを順次切り替えて表示するとともに、その切り替えのタイミングで観察具４の光シャッター６を開閉制御すればよい。なお、差分映像作成部１では、この例では複数の第１映像を加算した映像の反転映像を第３映像として作成する。
【００２９】
まず図３（Ａ）に示すように第１映像Ａを表示する。このタイミングで、観察者３１が装着している観察具４の光シャッター６を開いて光を透過させ、観察者３１が表示を参照できるようにする。また、観察者３２が装着している観察具４の光シャッター６は閉じて光を遮断する。これによって、観察者３１と、観察具４を装着していない観察者３３により第１映像Ａが参照されることになる。
【００３０】
続いて図３（Ｂ）に示すように第１映像Ｂに表示を切り替える。このタイミングで、観察者３１が装着している観察具４の光シャッター６を閉じて光を遮断する。また、観察者３２が装着している観察具４の光シャッター６を開いて光を透過させ、観察者３２が第１映像Ｂを参照できるようにする。これによって、観察者３２と、観察具４を装着していない観察者３３により第１映像Ｂが参照されることになる。
【００３１】
さらに図３（Ｃ）に示すように、表示を第３映像に切り替える。このタイミングで、観察者３１と観察者３２が装着している観察具４の光シャッター６を閉じて光を遮断する。これによって、第３映像は観察者３１，３２には参照されず、観察具４を装着していない観察者３３により参照されるのみとなる。
【００３２】
このような映像の切替と光シャッター６の開閉制御を行うことによって、観察者３１は第１映像Ａのみを参照することになるため、観察者３１には第１映像Ａが提示されることになる。同様に観察者３２は第１映像Ｂのみを参照することになるため、観察者３２には第１映像Ｂが提示されることになる。さらに、観察具４を装着していない観察者３３は、２つの第１映像と第３映像を参照することになるが、映像の切替を高速に行うことによって、それぞれの映像を認識することはできず、加算された映像が認識される。第１映像Ａと第１映像Ｂと、その反転映像とが加算されることにより、観察者３３は均一な画像が観察されることになる。
【００３３】
このようにして、第１映像が複数存在する場合に、光シャッター６の開閉を行うタイミングを制御することによって、それぞれの観察者毎に提示する映像を異ならせることが可能である。また、例えば観察者が設定を行うことによって、観察者が選択した映像を提示することが可能である。
【００３４】
図４は、本発明の実施の一形態における第３の動作例の説明図である。上述の第２の動作例と同様に、第１映像が複数の場合について説明する。第２の動作例では第３映像として複数の第１映像を加算した画像の反転画像を作成したが、この例では、それぞれの第１映像に対応する第３映像を作成する例を示す。なお、第２の動作例と同様に、第１映像Ａを観察者３１に、第１映像Ｂを観察者３２に、それぞれ提示するものとする。また、第２映像は均一な画像であるものとする。
【００３５】
このようにそれぞれの第１映像に対応する第３映像を差分映像作成部１で作成する場合には、対となる第１映像と第３映像を続けて表示し、それぞれの対について順次表示してゆけばよい。すなわち、図４（Ａ）に示すように第１映像Ａを表示したら、次に図４（Ｂ）に示すように第１映像Ａの反転映像を表示し、続いて図４（Ｃ）に示すように第１映像Ｂを表示し、次に図４（Ｄ）に示すように第１映像Ｂの反転映像を表示する。このような映像の切替を繰り返せばよい。
【００３６】
このような映像の切替に対応して、各観察者３１，３２が装着している観察具４の光シャッター６を開閉制御すればよい。まず図４（Ａ）に示すように第１映像Ａを表示しているタイミングで、観察者３１が装着している観察具４の光シャッター６を開いて光を透過させ、観察者３１が表示を参照できるようにする。このとき、観察者３２が装着している観察具４の光シャッター６は閉じて光を遮断する。これによって、観察者３１と、観察具４を装着していない観察者３３により第１映像Ａが参照されることになる。
【００３７】
続いて図４（Ｂ）に示すように、第１映像Ａを反転した第３映像に切り替え、このタイミングで、観察者３１と観察者３２が装着している観察具４の光シャッター６を閉じて光を遮断する。これによって、第１映像Ａを反転した第３映像は観察者３１，３２には参照されず、観察具４を装着していない観察者３３により参照されるのみとなる。
【００３８】
次に図４（Ｃ）に示すように第１映像Ｂに表示を切り替える。このタイミングで、観察者３１が装着している観察具４の光シャッター６を閉じて光を遮断する。また、観察者３２が装着している観察具４の光シャッター６を開いて光を透過させ、観察者３２が第１映像Ｂを参照できるようにする。これによって、観察者３２と、観察具４を装着していない観察者３３により第１映像Ｂが参照されることになる。
【００３９】
さらに図４（Ｄ）に示すように、第１映像Ｂを反転した第３映像に切り替え、このタイミングで観察者３１と観察者３２が装着している観察具４の光シャッター６を閉じて光を遮断する。これによって、第１映像Ｂを反転した第３映像は観察者３１，３２には参照されず、観察具４を装着していない観察者３３により参照されるのみとなる。
【００４０】
このような映像の切替と光シャッター６の開閉制御を行うことによって、観察者３１は第１映像Ａのみを参照することになるため、観察者３１には第１映像Ａが提示されることになる。同様に観察者３２は第１映像Ｂのみを参照することになるため、観察者３２には第１映像Ｂが提示されることになる。さらに、観察具４を装着していない観察者３３は、２つの第１映像と２つの第３映像を参照することになるが、映像の切替を高速に行うことによって、それぞれの映像を認識することはできず、加算された映像が認識される。すなわち、第１映像Ａとその反転画像が加算されて均一な画像となり、また第１映像Ｂとその反転映像とが加算されて均一な画像となり、観察者３３は均一な画像が観察されることになる。
【００４１】
このように、第３の動作例のように第１映像が複数存在する場合にそれぞれの第１映像に対応する第３映像を作成しても、それぞれの観察者毎に提示する映像を異ならせることが可能である。また、例えば観察者が設定を行うことによって、観察者が選択した映像を提示することが可能である。
【００４２】
また、この動作例のように第１映像と、その第１映像に対応する第３映像を続けて表示することによって、観察具４を装着していない観察者３３において映像間の加算がより促進されることが期待でき、ちらつきなどの少ない均一画像を提供することができる。逆に、観察具４を装着している観察者３１，３２にとっては、第１映像を参照する間隔が長くなるため、ちらつきが増すことが懸念されるが、映像の切替をより高速に行うことで解決することができる。また、第２の動作例では第１映像が多くなると第３映像の作成が困難になることも予想されるが、この第３の動作例のようにそれぞれの第１映像に対応する第３映像を作成することによって、そのような問題も回避することができる。
【００４３】
図５は、本発明の実施の一形態における第４の動作例の説明図である。第１映像が複数の場合の応用例として、立体視を実現する例を示す。立体視を実現するには、図６でも説明したように、観察者の左右の眼の視差だけずれた２つの画像を用意し、それぞれ、左眼と右眼に別々に提示する必要がある。そのため、第１映像として左眼用の画像と右目用の画像の２つを用意する。また、この例では上述の第３の動作例と同様に、それぞれの第１映像の反転画像を第３映像として用いることとする。もちろん、第２の動作例と同様に２つの第１映像を加算した画像の反転画像を第３映像として用いても良い。
【００４４】
まず図５（Ａ）に示すように左眼用の第１映像を表示し、そのタイミングで、観察者３１が装着している観察具４の左眼の光シャッター６を開いて光を透過させ、右眼の光シャッター６を閉じて光を遮断する。これによって、観察者３１は左眼のみで左眼用の第１映像を参照することになる。
【００４５】
続いて図５（Ｂ）に示すように、左眼用の第１映像を反転した第３映像に切り替え、このタイミングで、観察者３１が装着している観察具４の光シャッター６を両眼とも閉じて光を遮断する。これによって、左眼用の第１映像を反転した第３映像は観察者３１には参照されない。
【００４６】
次に図５（Ｃ）に示すように右眼用の第１映像に表示を切り替える。このタイミングで、観察者３１が装着している観察具４の右眼の光シャッター６を開いて光を透過させ、また左眼用の光シャッター６は閉じたままとして光を遮断する。これによって、観察者３１は右眼のみで右眼用の第１映像を参照することになる。
【００４７】
さらに図５（Ｄ）に示すように、右眼用の第１映像を反転した第３映像に切り替え、このタイミングで観察者３１が装着している観察具４の光シャッター６を両眼とも閉じて光を遮断する。これによって、右眼用の第１映像を反転した第３映像は観察者３１には参照されない。
【００４８】
このようにして、観察者３１は左眼で左眼用の第１映像を、右眼で右眼用の第１映像を、それぞれ参照することになり、視差により立体的な画像が認識される。なお、観察具４を装着していない観察者には、図５（Ａ）〜（Ｄ）の４つの映像全てが参照されることになり、それらの映像が加算されて均一な映像が提示される。
【００４９】
上述の各動作例では、第２映像として均一な画像を想定し、第３映像は第１映像を反転することにより作成している。しかしこれに限らず、第２映像は均一な画像に限られるものではない。第２映像を与えて第１映像との差分映像を作成して第３映像とすればよい。これによって、観察具４を装着していない観察者にも観察具４を装着している観察者とは別の映像を提示することができる。なお、第１映像の明るい部分については第３映像を暗くしても平均の明るさとなってしまうため、観察具４を装着していない観察者に提示される映像は、ある程度明るい映像になることがある。
【００５０】
また、第１映像及び第２映像は単一色の画像に限られるものではなく、カラー画像であっても同様に適用することができる。さらに、静止画に限られるものではなく、動画にも適用が可能である。これは、動画の各フレーム毎に第３映像を作成し、第１映像と第３映像を上述の第２，第３の動作例のように表示させることで実現できる。さらに、第１映像と第２映像がともに動画、静止画と動画、動画と静止画、ともに静止画とすることも可能である。
【００５１】
さらに、上述の各動作例では表示部３としてプロジェクター２１により投影された画像の場合を例にとって説明したが、プロジェクター２１に限らず、表示装置ならば適用可能であり、例えばディスプレイや電光掲示板などであっても同様に実現することができる。
【図面の簡単な説明】
【００５２】
【図１】本発明の表示システムの実施の一形態を示すブロック図である。
【図２】本発明の実施の一形態における第１の動作例の説明図である。
【図３】本発明の実施の一形態における第２の動作例の説明図である。
【図４】本発明の実施の一形態における第３の動作例の説明図である。
【図５】本発明の実施の一形態における第４の動作例の説明図である。
【図６】従来の立体視のための表示システムの一例の説明図である。
【符号の説明】
【００５３】
１…差分映像作成部、２…表示制御部、３…表示部、４…観察具、５…シャッター制御部、６…光シャッター、１１，１２…観察者、２１…プロジェクター、２２…表示面、３１〜３３…観察者、５１…表示画面、５２…メガネ型光シャッター。
【図１】
2005227424.tif 000003
【図２】
2005227424.tif 000004
【図３】
2005227424.tif 000005
【図４】
2005227424.tif 000006
【図５】
2005227424.tif 000007
【図６】
2005227424.tif 000008